(57)【要約】【課題】肌の柔らかさ等に応じて、ひりつきや肌に傷がついたりすることを防止して、的確な髭剃りを可能にする。【解決手段】外刃１０と、外刃１０の内面に摺接して回転駆動される内刃とを備えた回転式電気かみそりにおいて、前記外刃１０の外周側面と前記内刃の回転側面との離間間隔が、外刃の周方向位置により変化しており、外刃１０の外周側面と内刃の回転側面との離間間隔が広い部分と狭い部分とが設けられている。【選択図】          図２
2004254885.tif 000002
【特許請求の範囲】
【請求項１】
外刃と、外刃の内面に摺接して回転駆動される内刃とを備えた回転式電気かみそりにおいて、
前記外刃の外周側面と前記内刃の回転側面との離間間隔が、外刃の周方向位置により変化していることを特徴とする回転式電気かみそり。
【請求項２】
外刃が、平面形状で円形に形成され、外刃の中心と内刃の回転中心とが偏位して設けられていることを特徴とする請求項１記載の回転式電気かみそり。
【請求項３】
内刃の回転中心が、外刃が装着されている外刃枠の中心に向けて外刃の中心に対して偏位して設けられていることを特徴とする請求項２記載の回転式電気かみそり。
【発明の詳細な説明】
【０００１】
【発明の属する技術分野】
本発明は回転式電気かみそりに関し、より詳細には、外刃と内刃との配置位置を特徴とする回転式電気かみそりに関する。
【０００２】
【従来の技術】
図７は従来の回転式電気かみそりの外刃ユニットについの平面図を示す。図示例の回転式電気かみそりは、いわゆる三つ目タイプの電気かみそりであり、円形のリング状に形成された３個の外刃１０が、その中心位置を正三角形の頂点位置に一致させて外刃枠１２に支持されている。１１が外刃１０に設けられた髭を導入するためのスリット孔である。スリット孔１１は外刃１０の周方向に多数個設けられている。
【０００３】
図８に、外刃１０が装着されている外刃ユニットの内部構成を拡大して示す。図は一つの外刃部分を示す。外刃１０はキャップ状に形成された部材であり、肌が接触する外刃部１０ａが平坦面に形成され、この外刃部１０ａにスリット孔１１が透設されている。
内刃２０は、円板状に形成された小刃支持体２２の周方向に、複数の小刃２１が起立して形成されているものである。外刃部１０ａの内面に摺接する小刃２１の先端部は、髭をカットする刃となっている。
【０００４】
また、小刃支持体２２の中央部には、電気かみそりの本体に内蔵されている電動モータによって回転駆動される駆動軸と係合する嵌合孔２４が形成されている。内刃２０は、この嵌合孔２４に駆動軸が係合することにより、駆動軸とともに一体に回転駆動され、外刃１０と協働してスリット孔１１から外刃１０内に導入された髭をカットする。
【０００５】
【発明が解決しようとする課題】
回転式電気かみそりは、上述したように、外刃１０の内側で内刃２０を回転させ、外刃１０に導入された髭を内刃２０と外刃１０とでカットして髭を剃るように構成されている。したがって、従来の回転式電気かみそりでは、外刃１０の中心と内刃２０の中心とを一致させ、外刃１０と同芯で内刃２０が回転駆動されるように構成されている。図８で、Ｄは外刃１０の外周側面位置と内刃２０の外側面位置（小刃２１の外側面の位置）との離間間隔を示している。従来の回転式電気かみそりでは、外刃１０と内刃２０とを同芯配置としているからこの間隔Ｄは、外刃１０の全周にわたって一定である。
【０００６】
ところで、回転式電気かみそりでは、外刃１０のスリット孔１１から外刃１０の内側に導入された髭を内刃２０と外刃１０とでカットするのであるが、その際に外刃１０に設けられたスリット孔１１、とくに外刃１０の外周側のスリット孔１１部分から肌が外刃の内側に入り込む。このようにスリット孔１１に肌が入り込むことによって深剃りを可能にするのであるが、図８の間隔Ｄが狭いと、外刃１０に入り込んだ肌が内刃２０の刃によって傷つけられる（ひりつきが生じる）という問題がある。一方、間隔Ｄを広くすると、肌が内刃２０によって傷つけられる問題はなくなるものの、深剃りができないという問題がある。
【０００７】
また、肌が外刃１０の内側に入り込む量は肌の柔らかさによっても異なり、頬を剃るような場合にはスリット孔１１に肌が入りにくいために深剃りができにくく、顎や顎下のように肌がやわらかい部分を剃る場合には、肌がスリット孔１１に入り込みやすくなって肌を傷つけやすくなるという問題がある。
そこで、本発明はこれらの課題を解決すべくなされたものであり、その目的とするところは、肌の柔らかさが異なるような場合であってもその剃り位置に応じて的確に髭を剃ることができ、肌を傷つけず、かつ必要個所においては深剃りが可能な回転式電気かみそりを提供するにある。
【０００８】
【課題を解決するための手段】
上記目的を達成するため、本発明は次の構成を備える。
すなわち、外刃と、外刃の内面に摺接して回転駆動される内刃とを備えた回転式電気かみそりにおいて、前記外刃の外周側面と前記内刃の回転側面との離間間隔が、外刃の周方向位置により変化していることを特徴とする。
また、前記外刃が、平面形状で円形に形成され、外刃の中心と内刃の回転中心とが偏位して設けられていることを特徴とする。
また、前記内刃の回転中心が、外刃が装着されている外刃枠の中心に向けて外刃の中心に対して偏位して設けられていることを特徴とする。
【０００９】
【発明の実施の形態】
以下、本発明の好適な実施の形態について詳細に説明する。
図１は、本発明に係る回転式電気かみそりの一実施形態の全体構成を示す斜視図である。同図で５が電気かみそりの本体、１２が本体５の上部に脱着自在に取り付けられた外刃枠、１０が外刃枠１２に取り付けられた外刃である。各々の外刃１０の内側には内刃が装着されている。これらの外刃枠１２および外刃枠１２に装着された外刃１０および内刃等が外刃ユニットを構成し、外刃ユニットが電気かみそりの本体５に脱着可能である。６はＯＮ−ＯＦＦスイッチである。
【００１０】
図２は、外刃ユニットの外刃１０を取り付けた面を平面方向から見た状態を示す。３個の外刃１０が正三角形の頂点位置にそれぞれ配置されていることは従来の回転式電気かみそりと同様である。
本実施形態の回転式電気かみそりにおいて特徴的な構成は、外刃１０の外周を一周する外周円Ｐの中心と、外刃１０の内側に装着された内刃の回転中心とが偏芯して配置されていることである。
図３に一つの外刃１０について、外刃１０の外周円Ｐ、外刃１０の内周を一周する内周円Ｑ、内刃２０の回転領域を示す。図のように、内刃２０の回転中心Ｃ２は外刃１０の内周円Ｑの中心Ｃ２と一致するから、外刃１０についてみると、外刃１０の外周円Ｐの中心Ｃ１と内周円Ｑの中心とが偏位している形態となっている。
【００１１】
外刃１０の外周円Ｐに対して内周円Ｑが偏心する方向は適宜選択可能であるが、本実施形態では、図２に示すように、３つの外刃１０の配置中心Ｃに向けて内周円Ｑが接近する方向に偏位するように配置されている。
外周円Ｐに対して内周円Ｑを偏芯させた配置とすることにより、スリット孔１１が形成される外刃部１０ａの幅寸法は周方向に一定幅ではなくなり、外刃枠１２の中心側では狭幅に、外刃枠１２の外部側では広幅になる。スリット孔１１は外刃部１０ａを横切るように形成されるから、外刃部１０ａが広幅になったところではスリット孔１１の長さが長くなり、外刃部１０ａが狭幅になったところではスリット孔１１の長さが短くなる。
【００１２】
また、外刃部１０ａの幅寸法が広狭となるように形成されているということは、内刃２０と外刃１０との摺接部分（小刃２１が外刃１０の内面に摺接する部分）と外刃１０の外周側面との離間間隔が周方向で広い部分と狭い部分が生じるということである。
図３に示すように、外周円Ｐに対して内周円Ｑが偏位している方向を基準方向とした場合、この基準線上で内周円Ｑが外周円Ｐに接近した側では外周円Ｐと内刃２０の通過領域との離間間隔Ｄ２は狭く、内周円Ｑが外周円Ｐから離間した側では外周円Ｐと内刃２０の通過領域との離間間隔Ｄ１は広くなる。
【００１３】
図４は、上述した外刃１０と内刃２０の構成を外刃１０の断面方向から見た状態（図２のＡ−Ａ線断面図）を示す。
ａが外刃枠１２の外部側での外刃１０の外周側面と内刃２０の回転側面との離間間隔、ａ’が外刃枠１２の中心側での外刃１０の外周側面と内刃２０の回転側面との離間間隔である。外刃枠１２の外部側での離間間隔ａが、外刃枠１２の中心側での離間間隔ａ’よりも大きいことを示す。
また、外刃枠１２の外部側での外刃部１０ａの幅ｂが、外刃枠１２の中心側での外刃部１０ａの幅ｂ’よりも広く形成されていることを示す。
【００１４】
外刃１０の外周側面と内刃２０の回転側面との離間間隔は回転式電気かみそりの剃り味に大きな影響を与える。
図５は外刃１０と内刃２０の配置と、髭剃り時に外刃１０に肌Ｅがあたった状態を説明的に示したものである。図５（ａ）は、外刃枠１２の中心部側での配置、図５（ｂ）は、外刃枠１２の外周側での配置を示す。
髭剃り時に肌が外刃１０にあたると、肌は外刃１０に形成されたスリット孔１１から外刃１０の内側に若干入り込む。スリット孔１１は、外刃１０の頂部から外刃１０の側面にまで開口するように設けられているから、外刃１０の外周側面に肌をあてるようにして髭剃りすると、肌は、外刃１０の側面で開口するスリット孔１１の側面部分から外刃１０の内側に入り込む。
【００１５】
したがって、図５（ａ）に示すように、外刃１０の外周側面と内刃２０の側面（小刃２１の側面）との離間間隔が狭いと、肌は外刃１０の内側にわずか入っただけで内刃２０にあたるのに対して、図５（ｂ）に示すように、外刃１０の外周側面と内刃２０の側面との離間間隔が広くなっていると、外刃１０の内側に肌が入り込んでも肌は内刃２０にあたらなくなる。
肌が外刃１０の内側に入り込む量は、肌の柔らかさ等によって異なり、頬などでは入り込みにくく、顎下、首部分のように肌がやわらかい部分では入り込みやすくなる。肌が外刃１０の内側に入り込んで内刃２０が肌にあたると、ひりつき感が生じ、肌を傷つけることがおきる。したがって、このような場合には外刃１０と内刃２０との離間間隔を広くとって、肌を傷つけないようにすることがよい。一方、頬などでは、肌は外刃１０には入り込みにくいから、深剃りができるようになっていることが望ましい。
【００１６】
本実施形態の回転式電気かみそりは、図２に示すように、外刃１０に対して外刃枠１２の中心側に内刃の回転中心を偏位させた配置としているから、外刃枠１２の外周側では肌が内刃にあたりにくくなり、外刃枠１２の中心側では肌と内刃とが接近する配置となっている。すなわち、本実施形態の回転式電気かみそりでは、顎下、首部等の肌が柔らかい部分を髭剃りする場合は、、外刃１０と内刃との離間間隔が広い外刃枠１２の外周側（電気かみそりのコーナー側）を肌にあてるようにして髭剃りすることで、肌を傷めずに髭剃りすることができる。顎下や首部分を剃る場合は、外刃枠１２のコーナー部分を肌に当てやすいから外刃１０と内刃２０との離間間隔が広い部分を肌に当てるようにして髭剃りすることは容易である。
【００１７】
一方、頬部分などを髭剃りする場合は、外刃枠１２の中心部を肌にあてるようにする。頬などでは外刃１０を肌にたいらに当てるようにするから、この場合は肌と内刃２０とが接近することで深剃りが可能になる。
このように、外刃１０に対して内刃２０の回転中心を偏位させた配置とし、いずれの外刃１０に対しても外刃枠１２の中心側に向けて内刃２０の回転中心を偏位させた配置とすることによって、肌の柔らかい部分を髭剃りする場合にはひりつき感や肌を傷めることなく髭剃りすることができ、また深剃りが必要な部位では深剃りができるといった、使い勝っての良い電気かみそりとして提供することが可能となる。
【００１８】
従来の回転式電気かみそりでは、外刃と内刃との離間間隔は外刃の周方向のどこの位置でも一定となっているのに対して、本実施形態の回転式電気かみそりの場合は、外刃と内刃を外刃の外周側面と内刃の回転側面との離間間隔が外刃の周方向位置で変化するように配置したことにより、肌の柔らかさや剃り位置に合わせて最適な条件で髭剃りすることが可能になる。
なお、上記実施形態の回転式電気かみそりでは、外刃１０の外周側面の形状を完全な円形としたが、本発明に係る回転式電気かみそりは、外刃の外周側面と内刃の回転側面との離間間隔が広い部分と狭い部分を設けるようにしたことを特徴とするものであり、外刃１０の外周側面形状が円形のものに限られるものではなく、楕円形、卵形などの形状とすることも可能である。また、上記実施形態では、外刃１０のいずれも外刃枠１２の中心側に向けて内刃の回転中心が偏位するように配置しているが、すべての内刃を中心方向に偏位させる必要はなく、内刃を偏位させる方向も適宜選択可能である。
【００１９】
図６は、外刃１０を２つ備えている回転式電気かみそりの実施形態を示す。この実施形態では、各々の外刃１０に装着される内刃２０の回転中心を、外刃１０の中心に対して、外刃枠１２の中心側に偏位させている。このように、外刃１０を２つ備えた回転式電気かみそりの場合も、上述した実施形態と同様に、外刃の外周側面と内刃の回転側面との離間間隔として広い部分と狭い部分を設けることにより、使用時に外刃１０を肌にあてる位置を調節することで肌の柔らかさ、剃り位置に合わせた髭剃りが可能になる。
【００２０】
【発明の効果】
本発明に係る回転式電気かみそりによれば、上述したように、外刃と内刃とを外刃の外周側面と内刃の回転側面との離間間隔が外刃の周方向位置で変化するように設けたことにより、髭剃り時に、内刃に肌があたってひりついたり、傷がついたりすることを防止することができ、肌の柔らかさ等の条件に合わせて好適な髭剃りができる等の著効を奏する。
【図面の簡単な説明】
【図１】回転式電気かみそりの全体構成を示す斜視図である。
【図２】本発明に係る回転式電気かみそりの外刃ユニットの平面図である。
【図３】外刃と内刃との平面配置関係を示す説明図である。
【図４】外刃と内刃の配置関係を断面方向から見た説明図である。
【図５】外刃と内刃の配置を拡大して示す説明図である。
【図６】回転式電気かみそりの他の実施形態における外刃の配置を示す説明図である。
【図７】従来の回転式電気かみそりの外刃の配置を示す説明図である。
【図８】従来の回転式電気かみそりでの外刃と内刃の配置関係を示す説明図である。
【符号の説明】
１０  外刃
１０ａ  外刃部
１１  スリット孔
１２  外刃枠
２０  内刃
２１  小刃
２２  小刃支持体
２４  嵌合孔
【図１】
2004254885.tif 000003
【図２】
2004254885.tif 000004
【図３】
2004254885.tif 000005
【図４】
2004254885.tif 000006
【図５】
2004254885.tif 000007
【図６】
2004254885.tif 000008
【図７】
2004254885.tif 000009
【図８】
2004254885.tif 000010